(57)【特許請求の範囲】
【請求項１】
首の周りを覆うように形成した首掛け部と、該首掛け部の内側の凹部を介して内側に曲がるフレキシブル接続部と、該フレキシブル接続部に接続される送風部と、を有し、
前記首掛け部は、熱電変換部と、該熱電変換部からの冷気を前記フレキシブル接続部に導く空間状の導入部とを有し、
前記フレキシブル接続部は、長さ方向に沿って中空状であり、前記熱電変換部からの冷気を前記送風部に供給することを特徴とする首掛け型機器。
【請求項２】
前記凹部は、少なくとも前記首掛け部に囲まれる内側空間に向かう方向と、前記首掛け部の先端側に向かう方向に、それぞれ開放状であることを特徴とする請求項１に記載の首掛け型機器。
【請求項３】
前記凹部は、前記内側空間と反対側の外側空間に向かう方向にも開口していることを特徴とする請求項２に記載の首掛け型機器。
【請求項４】
前記フレキシブル接続部は、前記首掛け部の先端位置より先端側まで延びることを特徴とする請求項１〜３のいずれか１項に記載の首掛け型機器。
【請求項５】
前記熱電変換部の近傍には、該熱電変換部から前記導入部に向かう空気流を生成する流動生成ファンが設けられることを特徴とする請求項１〜４のいずれか１項に記載の首掛け型機器。
【請求項６】
前記首掛け部は表面に露出するプレート部を有し、該プレート部は前記熱電変換部によって冷却されると共に、アルミ、銅、またはセラミックにより形成されることを特徴とする請求項１〜５のいずれか１項に記載の首掛け型機器。
【請求項７】
前記プレート部は貫通する孔部を有し、該孔部を介して前記熱電変換部で冷却された冷気が外部に導かれることを特徴とする請求項６に記載の首掛け型機器。
【発明の詳細な説明】
【技術分野】
【０００１】
本発明は、首に掛ける首掛け部と、この首掛け部に設けられる送風部とを有する首掛け型機器に関する。
【背景技術】
【０００２】
首に掛ける首掛け部と、この首掛け部に設けられる送風部とを有する首掛け型機器が知られている。このような首掛け型機器として、例えば特許文献１に挙げるようなものがある。
【先行技術文献】
【特許文献】
【０００３】
【特許文献１】韓国特許登録第１０１８５７０４７号明細書
【発明の概要】
【発明が解決しようとする課題】
【０００４】
特許文献１の首掛け型機器は、ファンを有する送風部が首掛け部の先端部に、先端部が延長する方向に突出するように設けられている。また、首掛け部の先端部と送風部との間には、フレキシブル接続部が設けられており、首掛け部に対して送風部の向きを調節することができる。
【０００５】
このように、従来の首掛け型機器は、首掛け部の先端から先端側に向かって延びるフレキシブル接続部を有している。送風部の使用時には、首掛け部を首に掛けた状態で、送風部が主にユーザーの顔の方向に向かうようにフレキシブル接続部が折り曲げられる。一方で、フレキシブル接続部を大きく折り曲げて、送風部を概ねＵ字状の首掛け部に囲まれた空間領域に収納することもできる。送風部を空間領域に収納することで、首掛け型機器を小さく折り畳むことができる。
【０００６】
送風部の使用時には、送風部をユーザーの顔から大きく離れた方向に向けることはないため、フレキシブル接続部はそれほど大きく屈曲しなくてもよいが、送風部の収納時には、フレキシブル接続部を大きく屈曲させる必要がある。このため、フレキシブル接続部はある程度の長さを有する必要がある。首掛け部は、ユーザーの首に安定的に掛けられるようにするため、先端が少なくとも首より前側に位置するので、特許文献１のように送風部の先端から先端側に向かってフレキシブル接続部が延びるようにすると、フレキシブル接続部の先端に位置する送風部が顔から遠くなる。首掛け型機器が首掛け扇風機の場合、送風部が顔から遠いと、顔に到達する風量が少なくなる。
【０００７】
本発明は前記課題を鑑みてなされたものであり、フレキシブル接続部を送風部の収納のために大きく屈曲させることができ、かつ、送風部が首掛け部の先端位置から大きく離れないようにすることのできる首掛け型機器を提供することを目的とする。
【課題を解決するための手段】
【０００８】
前記課題を解決するため、請求項１の発明に係る首掛け型機器は、首の周りを覆うように形成した首掛け部と、該首掛け部の内側の凹部を介して内側に曲がるフレキシブル接続部と、該フレキシブル接続部に接続される送風部と、を有し、
前記首掛け部は、熱電変換部と、該熱電変換部からの冷気を前記フレキシブル接続部に導く空間状の導入部とを有し、
前記フレキシブル接続部は、長さ方向に沿って中空状であり、前記熱電変換部からの冷気を前記送風部に供給することを特徴として構成されている。
【０００９】
請求項１に係る発明によれば、フレキシブル接続部を内側空間に向かって大きく曲げることができ、かつ、フレキシブル接続部の首掛け部より先端側に延びる長さを抑えることができる。また、熱電変換部からの冷気がヘッド部に供給されることで、ヘッド部が扇風機である場合にユーザーに冷たい風を送ることができる。
【００１０】
また、請求項２の発明に係る首掛け型機器は、前記凹部は、少なくとも前記首掛け部に囲まれる内側空間に向かう方向と、前記首掛け部の先端側に向かう方向に、それぞれ開放状であることを特徴として構成されている。
【００１１】
請求項２に係る発明によれば、フレキシブル接続部を内側空間側に曲げられると共に、首掛け部の先端側に露出させることができる。
【００１２】
また、請求項３の発明に係る首掛け型機器は、前記凹部は、前記内側空間と反対側の外側空間に向かう方向にも開口していることを特徴として構成されている。
【００１３】
請求項３に係る発明によれば、ヘッド部の向きを調整できる範囲を広くすることができる。
【００１４】
また、請求項４の発明に係る首掛け型機器は、前記フレキシブル接続部は、前記首掛け部の先端位置より先端側まで延びることを特徴として構成されている。
【００１５】
請求項４に係る発明によれば、フレキシブル接続部のうち首掛け部の先端位置より先端側に延びる部分を屈曲させることにより、ヘッド部の向きを調整することができる。
【００１８】
また、請求項５の発明に係る首掛け型機器は、前記熱電変換部の近傍には、該熱電変換部から前記導入部に向かう空気流を生成する流動生成ファンが設けられることを特徴として構成されている。
【００１９】
請求項５に係る発明によれば、熱電変換部からの冷気をヘッド部により供給することができ、ユーザーにより冷たさを感じさせることができる。
【００２０】
また、請求項６の発明に係る首掛け型機器は、前記首掛け部は表面に露出するプレート部を有し、該プレート部は前記熱電変換部によって冷却されると共に、アルミ、銅、またはセラミックにより形成されることを特徴として構成されている。
【００２１】
請求項６に係る発明によれば、首掛け部を首に掛けたユーザーに冷たさを感じさせることができる。
【００２２】
また、請求項７の発明に係る首掛け型機器は、前記プレート部は貫通する孔部を有し、該孔部を介して前記熱電変換部で冷却された冷気が外部に導かれることを特徴として構成されている。
【００２３】
請求項７に係る発明によれば、ユーザーの首に対して冷気を直接当てて、より冷たさを感じさせることができる。
【発明の効果】
【００２４】
本発明に係る首掛け型機器によれば、フレキシブル接続部を内側空間に向かって大きく屈曲させることができるので、フレキシブル接続部を送風部の収納のために大きく屈曲させることができ、かつ、フレキシブル接続部の首掛け部より先端側に延びる長さを抑えられることから、送風部が首掛け部の先端位置から大きく離れないようにすることができる。
【図面の簡単な説明】
【００２５】
【図１】本実施形態における首掛け型扇風機の斜視図である。
【図２】首掛け型扇風機の平面図である。
【図３】首掛け部の先端部及び送風部付近の拡大正面図である。
【図４】送風部を顔の方向に向けた首掛け型扇風機の使用状態を示す斜視図である。
【図５】送風部を折り畳んだ状態の首掛け型扇風機の正面図である。
【図６】首掛け部の分解斜視図である。
【図７】変形例に係る首掛け部の内部構造の一部を破線で表した部分正面図である。
【発明を実施するための形態】
【００２６】
本発明の実施形態について図面に沿って詳細に説明する。図１には本実施形態における首掛け型機器の斜視図を、図２には首掛け型機器の平面図を、それぞれ示している。本実施形態の首掛け型機器は、送風部２０として扇風機を有しており、ユーザーは首掛け型機器を首に掛けて、送風部２０の正面（風が出る面）を顔等の方向に向けることにより、風を受けて涼しさを感じることができるものである。
【００２７】
首掛け型機器は、ユーザーの首に掛ける部分である首掛け部１０と、首掛け部１０の両先端部より先端側に配置される２つのヘッドとしての送風部２０とを有している。首掛け部１０は、首の周りを覆うように構成されたＵ字状の形態を有している。首掛け部１０を首に掛けた際に首の前方左右両側に位置する両端部には、送風部２０を取付けるヘッド取付部１１が形成されている。首掛け部１０は、全体としてＵ字状の形態を有することにより、内側に内側空間Ａを形成している。
【００２８】
首掛け部１０は、首の後部に当たる位置にプレート部１２を有している。プレート部１２は、首掛け部１０内に設けられる熱電変換部５１によって冷却されるものであり、セラミックで形成されている。ただし、プレート部１２は熱伝導性の良好な材料であればよく、セラミック以外にもアルミ、銅等の金属であってもよい。
【００２９】
首掛け部１０は、扇風機のオンオフ及び風量調整等の操作を行うための操作部１４を有している。また、首掛け部１０は、プレート部１２と反対側の面に放熱口１３を有している。放熱口１３には、首掛け部１０内に設けられる熱電変換部５１からの熱を放出するための孔部が多数形成されている。放熱口１３の両側には、首掛け部１０の内部に空気を取り入れる吸気口１６が設けられている。
【００３０】
ヘッド取付部１１には、首掛け部１０の先端側に向かって延びるフレキシブル接続部３０が設けられている。フレキシブル接続部３０は、任意の方向に容易に曲げることができ、かつ、曲げた状態を維持できるものであればよく、例えば、金属製の蛇腹の管状部材と、それを樹脂材で被覆したもので形成することができる。
【００３１】
送風部２０は、フレキシブル接続部３０の先端部に接続部２４を介して固定されている。送風部２０は、略円盤状の筐体２１内にファン２２とこのファン２２を回転させるモータ（不図示）を有し、筐体２１は、ファン２２の両側を覆うようにそれぞれガード部２３を有している。送風部２０は、首掛け部１０内に設けられる電源部５０からの電源によってファン２２が回転することで、送風することができる。すなわち、本実施形態において送風部２０は扇風機として機能する。
【００３２】
ヘッド取付部１１の内側には凹部１５が形成され、この凹部１５内にフレキシブル接続部３０が固定されている。凹部１５は、ヘッド取付部１１の厚み方向の一部が抉られたように形成されていて、首掛け部１０の内側空間Ａに向かう方向と、首掛け部１０の先端側に向かう方向に、それぞれ開口している。また、凹部１５は、内側空間Ａとは反対側の方向に向かっても開口している。
【００３３】
図３には、首掛け部１０の先端部及び送風部２０付近の拡大正面図を示している。この図には、凹部１５が形成される領域を点線で示している。凹部１５のうち内側空間Ａ側には、首掛け部１０の先端方向を向き、フレキシブル接続部３０が固定される平面状の固定部１５ａが形成されている。また、凹部１５のうち内側空間Ａと反対側には、湾曲面部１５ｂが形成されている。湾曲面部１５ｂは、首掛け部１０の先端側及び内側空間Ａ側に向かって凸状となる形態を有している。
【００３４】
フレキシブル接続部３０は、送風部２０における送風方向と直交する平面に沿う方向（以下平面方向という）に屈曲することができ、また、平面方向と直交する方向にも屈曲することができる。このうち、平面方向について、フレキシブル接続部３０は、固定部１５ａへの固定位置を起点として屈曲することができる。図３に一点鎖線で示すように、凹部１５は固定部１５ａより先端側が内側空間Ａ側に開口しているので、フレキシブル接続部３０を内側空間Ａに向かって鋭角状に折り曲げることができる。これにより、図４に示すように、送風部２０を内側空間Ａ内に収納することができる。送風部２０を内側空間Ａに収納することで、首掛け扇風機１の機能を使用しない際に、小さく折り畳むことができる。
【００３５】
また、フレキシブル接続部３０は、湾曲面部１５ｂに沿って首掛け部１０の外側に向かっても屈曲させることができる。フレキシブル接続部３０は、平面方向において、首掛け部１０の内側と外側にそれぞれ屈曲可能であることで、送風部２０の当該方向における向きの調整をすることができる。
【００３６】
平面方向と直交する方向について、フレキシブル接続部３０は、凹部１５から露出した先端側の部分が屈曲することができる。図５に示すように、首掛け部１０をユーザーの首に掛けた状態で、フレキシブル接続部３０を上側に屈曲させることにより、送風部２０をユーザーの顔に向けることができる。使用時には、フレキシブル接続部３０を平面方向及びこれと直交する方向に対し三次元的に屈曲させて、送風部２０から所望の方向に送風することができる。
【００３７】
首掛け部１０を首に掛けて送風部２０の機能を使用する際には、フレキシブル接続部３０を屈曲させることで送風部２０の向きを調整することができるが、フレキシブル接続部３０を鋭角状となるように大きく屈曲させる必要はない。一方で、送風部２０を内側空間Ａに収納する際には、図４に示すようにフレキシブル接続部３０を鋭角状に大きく屈曲させる必要がある。フレキシブル接続部３０は、首掛け部１０の凹部１５の奥に固定されており、凹部１５は内側空間Ａに向かって大きく開口しているので、内側空間Ａに向かっては大きく屈曲させることができる。それ以外の方向には、送風部２０の向き調整に必要な範囲で屈曲させることができる。このようにフレキシブル接続部３０の根元部分が凹部１５に納められていることにより、送風部２０が首掛け部１０からそれほど大きく突出しないようにすることができ、使用時において送風部２０が顔から大きく離れないようにすることができる。したがって、送風部２０を内側空間Ａに収納可能としつつ、使用時には送風部２０が顔から離れすぎないようにすることができる。
【００３８】
首掛け部１０の内部につき説明する。図６には、首掛け部１０の分解斜視図を示している。図６に示すように、首掛け部１０は、上ケース１８と下ケース１９で形成されており、これらの間には空間が形成される。首掛け部１０の空間には、前述の電源部５０と熱電変換部５１が納められている。熱電変換部５１は、例えばペルチェ素子によって構成することができ、首掛け部１０内に配置される取付板５２に固定される。取付板５２は、熱電変換部５１を固定する部分が開口しており、熱電変換部５１は取付板５２の両面に露出する。熱電変換部５１のうち、冷却される面はプレート部１２に接触する。プレート部１２は、首掛け部１０をユーザーの首に掛けた状態で、首の後部に接触するので、ユーザーは冷たさを感じることができる。
【００３９】
また、熱電変換部５１のうち、加熱される面には放熱板５３が接触する。放熱板５３は、アルミ等の熱導電性の高い材料で形成されている。放熱板５３の熱電変換部５１と反対側には、放熱ファン５４が配置されている。放熱ファン５４は首掛け部１０の放熱口１３に対向しており、熱電変換部５１からの熱を首掛け部１０の外部に放熱する。放熱口１３は首掛け部１０の後側を向いているので、ユーザーに熱風が当たらないようにすることができる。
【００４０】
上ケース１８と下ケース１９の間の空間は、首掛け部１０の両先端部まで連続しており、熱電変換部５１で冷却された空気を通す導入部５５となっている。首掛け部１０の凹部１５に形成される固定部１５ａに固定されるフレキシブル接続部３０は、内部が中空管状となっており、導入部５５と連通する。フレキシブル接続部３０は送風部２０の内部にも連通しているため、熱電変換部５１からの冷気が導入部５５及びフレキシブル接続部３０を介して送風部２０内に導かれる。これにより、送風部２０で発生する風に冷気が混合され、冷たい風をユーザーの顔に向けて送風できる。
【００４１】
熱電変換部５１からの冷気を、より積極的に送風部２０に導くこともできる。図７には、変形例に係る首掛け部１０の内部構造の一部を破線で表した部分正面図を示している。この図に示すように、熱電変換部５１とプレート部１２との間を少し離してブリッジ部材５６で接続し、その両側に流動生成ファン５７を配置することで、熱電変換部５１で冷却された空気を、導入部５５に向かって流動させることができる。これにより、フレキシブル接続部３０を介してより多くの冷気が送風部２０に導かれ、ユーザーはより涼しさを感じることができる。さらにその空気は下方に向かっても放出されることで、下半身までも冷却することが可能となる。なお、熱電変換部５１の加熱される側の面から発生する熱は、放熱板５３及び放熱ファン５４により、放熱口１３から放熱される。
【００４２】
以上、本発明の実施形態について説明したが、本発明の適用は本実施形態には限られず、その技術的範囲において様々に適用され得る。例えば、本実施形態においては、送風部２０を首掛け部１０の両端部に設けたものを例示したが、送風部２０は、首掛け部１０のいずれか一方の端部にのみ設けてもよい。また、送風部２０は、ファン２２を有する扇風機だけでなく、例えば、ミスト発生器、ミスト噴霧器など他の機能を有するものであってもよく、適用範囲は任意である。送風部２０は、ファン２０によって風を発生する扇風機には限られず、冷風を発生するクーラー等であってもよい。
【００４３】
また、首掛け部１０の形状は、ユーザーの首の周りを覆って掛けられる形状であればよく、本実施形態の形状に限られない。また、前述の実施形態において送風部２０のファン２２は、３枚の羽根を有しているが、２枚あるいは４枚以上など任意の羽根の枚数とすることができる。
【００４４】
また、プレート部１２に穴を１つ以上設け、熱電変換部５１で冷却された空気を、プレート部１２に向かって流動させることで、ユーザーに向かってクーラーのように冷風を噴射することもできる。
【００４５】
また、首掛け部１０の先端部にフレキシブル接続部３０の径と同等の周期の波形状を形成してもよい。この波形状に屈曲したフレキシブル接続部３０を沿わせることで、送風部２０の位置決めを容易にすることができる。
【符号の説明】
【００４６】
１０    首掛け部
１１    ヘッド取付部
１２    プレート部
１３    放熱口
１４    操作部
１５    凹部
１５ａ  固定部
１５ｂ  湾曲面部
１６    給気口
１８    上ケース
１９    下ケース
２０    送風部
２１    筐体
２２    ファン
２３    ガード部
２４    接続部
３０    フレキシブル接続部
５０    電源部
５１    熱電変換部
５２    取付板
５３    放熱板
５４    放熱ファン
５５    導入部
５６    ブリッジ部材
５７    流動生成ファン
Ａ    内側空間
【要約】
【課題】フレキシブル接続部をヘッド部の収納のために大きく屈曲させることができ、かつ、ヘッド部が首掛け部の先端位置から大きく離れないようにすることのできる首掛け型機器を提供する。
【解決手段】首の周りを覆うように形成した首掛け部１０と、首掛け部１０の内側の凹部１５を介して内側に曲がるフレキシブル接続部３０と、フレキシブル接続部３０に接続される送風部２０と、を有し、凹部１５は、少なくとも首掛け部１０に囲まれる内側空間Ａに向かう方向と、首掛け部１０の先端側に向かう方向に、それぞれ開口する。
【選択図】図１【図１】
0006852140.tif 000002
【図２】
0006852140.tif 000003
【図３】
0006852140.tif 000004
【図４】
0006852140.tif 000005
【図５】
0006852140.tif 000006
【図６】
0006852140.tif 000007
【図７】
0006852140.tif 000008